(57)【要約】【課題】係合対象となるフレームの係合保持の簡略化を図る。【解決手段】凹凸により係合済みの第１縦フレーム２０と第２縦フレーム４０は支柱アッシーＳをなし、その把持にはバネ鋼板のプレス成型品である横連結フレーム把持具２００を用いる。横連結フレーム把持具２００は、支柱アッシーＳのフレーム側面の形状に倣った把持具プレート２０２の両端に端部第１把持体２０４と端部第２把持体２１０を備える。把持具装着状態では、端部第１把持体２０４は横フレーム当接凹条２１ｂの底面に当接し、端部第２把持体２１０は横フレーム当接凹条２１ｂの底面に当接する。そして、両端部把持体は、元の状態に戻ろうとする力をそれぞれの底面に及ぼして支柱アッシーＳを把持する。【選択図】図６
2010203186.tif 000002
【特許請求の範囲】
【請求項１】
横断面形状が係合可能な凹凸とされた第１フレームと第２フレームとを前記凹凸により係合した状態で把持するバネ鋼板製のフレーム把持具であって、
前記凹凸により係合した状態の第１フレームと第２フレームとがなすフレーム側面の幅に合致した長さを有する把持具プレートと、
該把持具プレートの一方端から延在して屈曲した端部第１把持体と、
前記把持具プレートの他方端から延在して屈曲した端部第２把持体とを備え、
前記端部第１把持体は、
前記一方端の側の前記第１フレームが前記フレーム側面と交差するフレーム表面に有する凹所に係合するよう前記把持具プレートの一方端で屈曲し、
前記端部第２把持体は、
前記他方端の側の前記第２フレームが前記フレーム側面と交差するフレーム表面に有する凹所の底面にまで達した上で該底面に当接するよう前記把持具プレートの他方端で屈曲した
フレーム把持具。
【請求項２】
前記把持具プレートは、前記フレーム側面の外郭に倣った形状をなす請求項１に記載のフレーム把持具。
【請求項３】
前記端部第２把持体は、前記底面から離れるように屈曲した屈曲端部を有する請求項１または請求項２に記載のフレーム把持具。
【請求項４】
前記端部第１把持体は、前記第１フレームの前記凹所の底面にまで達した上で該底面に当接するよう屈曲している請求項１ないし請求項３いずれかに記載のフレーム把持具。
【請求項５】
請求項１ないし請求項４いずれかに記載のフレーム把持具であって、
前記端部第１把持体は、前記第１フレームが前記凹所としてフレーム長手方向に沿って有する凹条に係合するよう屈曲し、
前記端部第２把持体は、前記第２フレームが前記凹所としてフレーム長手方向に沿って有する凹条の底面にまで達した上で該底面に当接するよう屈曲した
フレーム把持具。
【発明の詳細な説明】
【技術分野】
【０００１】
本発明は、横断面形状が係合可能な凹凸とされた第１フレームと第２フレームとを把持するバネ鋼板製のフレーム把持具に関する。
【背景技術】
【０００２】
例えば、パネルを縦横のフレームで取り囲んだパーテーションや安全柵は、工作機械と作業通路を区画したり、何らかの飛散物を遮蔽する衝立等として多用され、多くの場合、横並びに連結可能とされている（例えば、特許文献１）。
【先行技術文献】
【特許文献】
【０００３】
【特許文献１】特開平９−６７８８５号公報
【発明の概要】
【発明が解決しようとする課題】
【０００４】
これら特許文献で提案された手法では、パーテーションを横並び連結するための縦フレームの係合に際しては、それぞれの縦フレームに別々の連結金具を個別に装着してフレームの係合保持を図る必要があり、煩雑であった。なお、こうした問題は、パーテーションや安全柵に特有ではなく、フレーム同士を係合する構造を取るものに共通して指摘されている。
【０００５】
本発明は、上記した課題を踏まえ、係合対象となるフレームの係合保持の簡略化を図ることをその目的とする。
【課題を解決するための手段】
【０００６】
上記した目的の少なくとも一部を達成するために、本発明では、以下の構成を採用した。
【０００７】
横断面形状が係合可能な凹凸とされた第１フレームと第２フレームとを前記凹凸により係合した状態で把持するバネ鋼板製のフレーム把持具であって、
前記凹凸により係合した状態の第１フレームと第２フレームとがなすフレーム側面の幅に合致した長さを有する把持具プレートと、
該把持具プレートの一方端から延在して屈曲した端部第１把持体と、
前記把持具プレートの他方端から延在して屈曲した端部第２把持体とを備え、
前記端部第１把持体は、
前記一方端の側の前記第１フレームが前記フレーム側面と交差するフレーム表面に有する凹所に係合するよう前記把持具プレートの一方端で屈曲し、
前記端部第２把持体は、
前記他方端の側の前記第２フレームが前記フレーム側面と交差するフレーム表面に有する凹所の底面にまで達した上で該底面に当接するよう前記把持具プレートの他方端で屈曲した
ことを要旨とする。
【０００８】
上記構成のフレーム把持具は、横断面形状が係合可能な凹凸により係合された済みの第１フレームと第２フレームがなすフレーム側面の幅に合致した長さを有する把持具プレートを備え、当該プレート両端に端部第１把持体と端部第２把持体を屈曲させて備える。そして、上記構成のフレーム把持具は、バネ鋼板製であることから、端部第１把持体と端部第２把持体が広がるようにされても、各把持体を把持具プレートに対して元の状態に復帰させる。このフレーム把持具によるフレームの係合保持は次のようになる。
【０００９】
上記のように凹凸により係合された済みの第１フレームと第２フレームに、この両フレームがなすフレーム側面の側から上記構成のフレーム把持具を装着する。フレーム把持具は、一旦、把持具プレートに対して端部第１把持体と端部第２把持体を広げて、把持具プレートを両フレームがなすフレーム側面に近接させる。この把持プレートの近接に伴い、端部第１把持体は、把持具プレートとの屈曲箇所から広がって、前記フレーム側面と交差する第１フレーム表面の凹所の側に進んで当該凹所に係合し、把持具プレートに対して元の状態に戻ろうとする力を凹所底面に及ぼす。端部第２把持体も同様であり、把持具プレートとの屈曲箇所から広がった後に、前記フレーム側面と交差する第２フレーム表面の凹所の側に進み、当該凹所の底面にまで達した上でその底面に当接する。この底面当接に伴い、端部第２把持体は把持具プレートに対して元の状態に戻ろうとする力を凹所底面に及ぼす。このように端部第１把持体と端部第２把持体が及ぼす力により、係合済みの第１フレームと第２フレームは、両フレームがなすフレーム側面に近接した把持具プレートの両端の上記両端部把持体にて把持されるので、両フレームの係合状態は保持される。よって、上記構成のフレーム把持具によれば、係合対象となる第１、第２のフレームを凹凸により係合した上で、容易且つ簡便に両フレームの係合状態を保持できる。しかも、例えば、凹所底面に当接した端部第２把持体を広がるように湾曲させれば、容易にフレーム把持具をフレームから取り外すことができる。
【００１０】
上記したフレーム把持具は、次のような態様とすることができる。例えば、把持具プレートを前記フレーム側面の外郭に倣った形状をなすものとすれば、把持具プレートをフレーム側面に密着するようにできることから、見栄えが向上する。
【００１１】
また、前記端部第２把持体を、前記凹所の底面から離れるように屈曲した屈曲端部を有するものとできる。こうすれば、この屈曲端部に工具等を係合させて端部第２把持体を把持具プレートに対して広がるようにできるので、係合状態の第１フレームと第２フレームから、フレーム把持具をより容易に取り外すことができる。つまり、フレーム把持具の着脱の簡略化を図ることができる。
【００１２】
また、前記端部第１把持体を、前記第１フレームの前記凹所の底面にまで達した上で該底面に当接するよう屈曲するようにできる。こうすれば、第１フレームの凹所底面とこれに背中合わせの第２フレームの凹所底面とを端部第１、第２把把持体により押さえるようにして第１、第２の両フレームを把持し、両フレームの係合状態を保持できる。
【００１３】
これらの場合、前記第１フレームが前記凹所としてフレーム長手方向に沿った凹条を有し、前記第２フレームが前記凹所としてフレーム長手方向に沿った凹条を有するものであれば、フレーム把持具のフレーム把持箇所の自由度が増す。よって、第１、第２の両フレームをその長手方向の任意の箇所でフレーム把持具にて把持できるので、作業性が高まる。
【図面の簡単な説明】
【００１４】
【図１】本発明の実施例としてのフレーム把持具を用いた安全柵１００の概略斜視図である。
【図２】安全柵１００を構成するパーテーション１０を分解して示す説明図である。
【図３】図２における３−３線での縦断面図である。
【図４】図２における４−４線での横断面図である。
【図５】図２における５−５線での横断面図である。
【図６】安全柵１００を構成するパーテーション１０の横並び連結の様子を斜視にて示す説明図である。
【図７】直交連結用のパーテーション１０Ｃとパーテーション１０とのＬ字状のコーナー連結の様子を斜視にて示す説明図である。
【図８】本実施例の横連結フレーム把持具２００を開口側から見た斜視図である。
【図９】開口側と反対側を正面として横連結フレーム把持具２００を表す正面図である。
【図１０】横連結フレーム把持具２００の左側面図である。
【図１１】横連結フレーム把持具２００の右側面図である。
【図１２】横連結フレーム把持具２００の平面図である。
【図１３】横連結フレーム把持具２００の背面図である。
【図１４】本実施例のコーナー連結フレーム把持具２２０を開口側から見た斜視図である。
【図１５】開口側と反対側を正面としてコーナー連結フレーム把持具２２０を表す正面図である。
【図１６】コーナー連結フレーム把持具２２０の左側面図である。
【図１７】コーナー連結フレーム把持具２２０の右側面図である。
【図１８】コーナー連結フレーム把持具２２０の平面図である。
【図１９】コーナー連結フレーム把持具２２０の背面図である。
【図２０】パーテーションの横並び連結箇所と直交連結箇所でのフレーム把持の様子とパーテーション連結の様子を示す説明図である。
【図２１】把持解除工具３００の斜視図である。
【図２２】把持解除工具３００の正面図である。
【図２３】把持解除工具３００の左側面図である。
【図２４】把持解除工具３００の平面図である。
【図２５】把持解除工具３００の底面図である。
【図２６】把持解除工具３００の背面図である。
【図２７】図２５における２７−２７線の拡大端面図である。
【図２８】把持解除工具３００による横連結フレーム把持具２００の取り外しの様子を説明する説明図である。
【発明を実施するための形態】
【００１５】
以下、本発明の実施の形態を実施例に基づいて説明する。図１は本発明の実施例としてのフレーム把持具を用いた安全柵１００の概略斜視図である。図示するように、安全柵１００は、複数のパーテーション１０を横並びした上でＬ字状に連結され、パーテーション１０の左右の支柱アッシーＳの下端にて脚１２により保持されている。
【００１６】
実施例としての横連結フレーム把持具２００とコーナー連結フレーム把持具２２０の説明に先立ち、その把持の対象となるフレームを有するパーテーション１０についてまず説明する。図２は安全柵１００を構成するパーテーション１０を分解して示す説明図、図３は図２における３−３線での縦断面図、図４は図２における４−４線での横断面図、図５は図２における５−５線での横断面図である。
【００１７】
図１に示すように、安全柵１００は、複数のパーテーション１０を横並びした上でＬ字状をなし、それぞれのパーテーションは、アクリル等の透明樹脂を用いて窓として機能する上部パネル１１Ｕと下部パネル１１Ｄを区画して取り囲み、脚１２により自立している。なお、安全柵１００をパーテーション１０を横並びしただけの構成とすることもできる他、上部パネル１１Ｕと下部パネル１１Ｄの一方或いは両方を不透明とした態様のパーテーション１０や、上下のパネル一方或いは両方を樹脂以外のパネル材としたり金網としたりした態様のパーテーション１０、一枚のパネルを取り囲む態様のパーテーション１０等、種々の態様することもできる。安全柵１００におけるパーテーション１０のレイアウトについても種々の態様とすることができ、Ｌ字状のレイアウトの他、Ｔ字状のレイアウトや、一方が開口したコの字状のレイアウト、所定床面積を取り囲んだロの字状のレイアウト等とすることができる。パーテーション１０をロの字状にレイアウトする場合には、一つのパーテーション１０における上下パネルを、開閉ドアとドアを取り囲むドアフレームに代え、このドアフレームをその左右・上下で取り囲むようにすればよい。
【００１８】
図２〜図５に示すように、パーテーション１０は、上下の上部パネル１１Ｕと下部パネル１１Ｄを取り囲むべく、両パネルの一方側に位置する第１縦フレーム２０と、他方側に位置する第２縦フレーム４０と、この両縦フレームの間に掛け渡される横フレーム６０とを備える。横フレーム６０は、上部パネル１１Ｕの上端と、上下パネルの間と下部パネル１１Ｄの下端の３箇所に配設され、その両側において、雄ネジ６７にて第１縦フレーム２０と第２縦フレーム４０に固定されている。
【００１９】
横フレーム６０は、アルミを用いた長尺の型押出成型品であり、その長さ寸法は、上記の両パネルの横方向寸法より若干短くされている。そして、この横フレーム６０は、図３に示すように、左右の側壁材６１と中央のコア部６２とを備え、コア部６２から４方に延びたブリッジ６３により側壁材６１を保持し、左右の側壁材６１の湾曲端部にて、スリット６４を形成している。このスリット６４は、上部パネル１１Ｕおよび下部パネル１１Ｄが支障なく入り込むように開口している。コア部６２には、開口した雌ネジ６５が形成されているので、この雌ネジ６５に図２の雄ネジ６７をねじ込むことで、横フレーム６０は、その端面を当接させて第１縦フレーム２０と第２縦フレーム４０に固定される。
【００２０】
第１縦フレーム２０と第２縦フレーム４０とは、図４および図５に示すように、上部パネル１１Ｕと下部パネル１１Ｄおよび横フレーム６０を挟んで向かい合い、横フレーム６０と同様、アルミを用いた長尺の型押出成型品であり、その長さ寸法は、パーテーション１０の縦寸法とされている。第１縦フレーム２０は、第２縦フレーム４０と向かい合う側に横フレーム６０の端面が当接する横フレーム当接座２１を備え、その背面側には、縦フレーム当接座２２を備える。横フレーム当接座２１は、その中央のパネル挿入凹条２１ａを挟んで両側に延び、軽量化のため中空とされている。また、この横フレーム当接座２１の中央領域は、横フレーム６０がガタなく入り込んで当接する横フレーム当接凹条２１ｂとされている。第１縦フレーム２０の横フレーム当接凹条２１ｂは、本実施例の横連結フレーム把持具２００による横並び箇所のフレーム把持に用いられる。パネル挿入凹条２１ａは、横フレーム６０におけるスリット６４と同様、上部パネル１１Ｕおよび下部パネル１１Ｄが支障なく入り込むように形成されている。
【００２１】
縦フレーム当接座２２にあっても、その中央の開口凹条２３とその奥側の有底部２４を挟んで両側に延び、軽量化のため中空とされている。開口凹条２３は、後述する第２縦フレーム４０の縦方向凸条４２、詳しくは凸条基部４２ａが所定のクリアランスを持って入り込むよう形成されている。このクリアランスは、パーテーション１０の縦横サイズ等に応じて定めれば良く、本実施例では、標準の縦横サイズを２１００Ｘ９３８ｍｍと１８００Ｘ９３８ｍｍとした場合に、この縦横サイズに対して約１ｍｍとした。つまり、この程度のクリアランスがあっても、後述するようにパーテーション１０を横並びさせた際、パーテーションのズレや傾きはパーテーションサイズから実用上問題とならないようにされている。なお、パーテーション１０の縦横サイズは、上記した標準サイズに限られるものではなく、パーテーション設置箇所等の要請から、種々の縦横サイズとすることができる。
【００２２】
そして、第１縦フレーム２０は、上記した横フレーム当接座２１と縦フレーム当接座２２とを有底部２４に繋がる連結板部２５で連結させ、両フレーム当接座間のフレーム側面、図４と図５の図示で言えばフレーム上下の側面３８に、側面開口凹条３０と、その奥側の有底部３１とを備える。この場合、側面開口凹条３０の開口幅は、縦フレーム当接座２２の開口凹条２３と同一で、有底部３１の幅より狭くされている。よって、この側面開口凹条３０と有底部３１および連結板部２５とでＴ溝仕様の側面凹条３２が縦フレーム沿って形成されることになる。また、側面開口凹条３０は、本実施例のコーナー連結フレーム把持具２２０によるコーナー連結部のフレーム把持に用いられる。
【００２３】
第２縦フレーム４０は、第１縦フレーム２０と向かい合う側に横フレーム６０の端面が当接する横フレーム当接座４１を備え、その背面側の中央に縦方向凸条４２を備える。横フレーム当接座４１は、その中央のパネル挿入凹条４１ａを挟んで両側に延び、その背面の縦方向凸条４２の凸条基部４２ａの側と当接座端部の側とを平面の当接座面４３とする。また、横フレーム当接座４１にあっても、その中央領域を、横フレーム６０がガタなく入り込んで当接する横フレーム当接凹条４１ｂとする。第２縦フレーム４０の横フレーム当接凹条４１ｂは、第１縦フレーム２０における横フレーム当接凹条２１ｂと同様、本実施例の横連結フレーム把持具２００による横並び箇所のフレーム把持に用いられる。パネル挿入凹条４１ａは、横フレーム６０におけるスリット６４と第１縦フレーム２０におけるパネル挿入凹条２１ａと同様、上部パネル１１Ｕおよび下部パネル１１Ｄが支障なく入り込むように形成されている。
【００２４】
第２縦フレーム４０の縦方向凸条４２は、凸条基部４２ａを既述したように所定のクリアランスを持って開口凹条２３に入り込む幅で形成した上で、当該基部に続けて、狭小陥没部４２ｂとエンド部４２ｃとを備える。凸条基部４２ａは、第１縦フレーム２０の開口凹条２３の厚みより低い凸の程度で形成され、狭小陥没部４２ｂは、凸条基部４２ａとエンド部４２ｃに挟まれ、この間の外周壁を陥没させている。エンド部４２ｃは、狭小陥没部４２ｂの陥没周壁に連続した周壁を形成し、縦方向凸条４２の底となる。
【００２５】
上記した構造材を有するパーテーション１０は、例えば、次のようにして組み立てられる。まず、第１縦フレーム２０と第２縦フレーム４０とを、それぞれの横フレーム当接座２１と横フレーム当接座４１とが向かい合うようにし、最下段の横フレーム６０を雄ネジ６７にて両縦フレームに固定する。この固定の様子は、図５に示すとおりであり、第１縦フレーム２０の側では、縦フレーム当接座２２の側の有底部２４からパネル挿入凹条２１ａを貫通した雄ネジ６７が横フレーム６０の雌ネジ６５にねじ込まれ、第２縦フレーム４０の側では、縦方向凸条４２のエンド部４２ｃからパネル挿入凹条４１ａを貫通した雄ネジ６７が横フレーム６０の雌ネジ６５にねじ込まれる。これにより、最下段の横フレーム６０は、その両端面で第１縦フレーム２０の横フレーム当接座２１、詳しくはパネル挿入凹条２１ａの底部と、第２縦フレーム４０の横フレーム当接座４１、詳しくはパネル挿入凹条４１ａの底部に当接して固定される。
【００２６】
次いで、下部パネル１１Ｄを第１縦フレーム２０と第２縦フレーム４０の上方側からパネル挿入凹条２１ａとパネル挿入凹条４１ａに入り込ませて、最下段の横フレーム６０の側に降ろす。この場合、横フレーム６０の長さは下部パネル１１Ｄの横方向寸法より若干短くされているので、下部パネル１１Ｄは、その下端を横フレーム６０のスリット６４に入り込ませ、パネル両端では両縦フレームのパネル挿入凹条に入り込んで支えられる。その後、中央の横フレーム６０の雄ネジ６７による両縦フレームへの当接・固定、上部パネル１１Ｕの配設、最上段の横フレーム６０の雄ネジ６７による両縦フレームへの当接・固定を行うことで、パーテーション１０が完成する。
【００２７】
こうして得られたパーテーション１０は、両縦フレームの横フレーム当接座２１および横フレーム当接座４１と、これら当接座に両端で当接した最上段、中央および最下段の横フレーム６０とで上部パネル１１Ｕと下部パネル１１Ｄを縦横で取り囲み、横並び連結される。
【００２８】
ここで、パーテーション１０の横並び連結とＬ字のコーナー連結について詳述する。図６は安全柵１００を構成するパーテーション１０の横並び連結の様子を斜視にて示す説明図、図７は直交連結用のパーテーション１０Ｃとパーテーション１０とのＬ字状のコーナー連結の様子を斜視にて示す説明図である。
【００２９】
図６に示すように、左右のパーテーション１０の横並び箇所では、一方のパーテーション１０が有する第１縦フレーム２０の開口凹条２３に他方のパーテーション１０が有する第２縦フレーム４０の縦方向凸条４２を入り込ませることで、第１、第２の両縦フレームが係合して、横並び連結したパーテーション１０の左右の支柱アッシーＳが構成される。そして、この左右の支柱アッシーＳは、後述するように横連結フレーム把持具２００で把持された上で、第１縦フレーム２０の下端両側面にボルトＢと側面凹条３２の内部の図示しないＴナットとで固定された脚１２により自立する。なお、脚１２は、図示しないアンカーボルトにて床面に固定される。
【００３０】
図７に示すコーナー連結では、直交連結用のパーテーション１０Ｃにおいて第２縦フレーム４０Ｃを用いる。第２縦フレーム４０Ｃは、横フレーム当接座４１の端部形状がパーテーション１０の第２縦フレーム４０と相違し、縦方向凸条４２と凸条基部４２ａの側の当接座面４３、およびパネル挿入凹条４１ａについては、その形状はパーテーション１０の第２縦フレーム４０と同一である。つまり、第２縦フレーム４０Ｃは、横フレーム当接座４１の端部背面を傾斜した端部当接座面４４とし、この端部当接座面４４を、横フレーム当接座２１の後述するコーナー部斜面２１ｓ（図２０参照）と縦フレーム当接座２２のコーナー部斜面２２ｓ（図２０参照）に当接させる。そして、パーテーション１０Ｃは、第２縦フレーム４０Ｃの縦方向凸条４２を第１縦フレーム２０の側面開口凹条３０に入り込ませて、第１縦フレーム２０と第２縦フレーム４０Ｃを係合させ、コーナー連結箇所のコーナー支柱アッシーＳＣが構成される。のコーナー支柱アッシーＳＣは、後述するようにコーナー連結フレーム把持具２２０で把持される。
【００３１】
次に、上記した支柱アッシーＳおよびコーナー支柱アッシーＳＣの把持を行う横連結フレーム把持具２００とコーナー連結フレーム把持具２２０について説明する。図８は本実施例の横連結フレーム把持具２００を開口側から見た斜視図、図９は開口側と反対側を正面として横連結フレーム把持具２００を表す正面図、図１０は横連結フレーム把持具２００の左側面図、図１１は横連結フレーム把持具２００の右側面図、図１２は横連結フレーム把持具２００の平面図、図１３は横連結フレーム把持具２００の背面図である。この場合、横連結フレーム把持具２００の底面図は、図１３の平面図と対称に現れる。
【００３２】
横連結フレーム把持具２００は、０．８ｍｍ厚のバネ鋼板のプレス成型品であり、図示するように、その要部をなす把持具プレート２０２の両端に端部第１把持体２０４と端部第２把持体２１０とを延在させて備える。把持具プレート２０２は、把持対象の支柱アッシーＳのフレーム側面幅に合致した長さを有すると共に、支柱アッシーＳのフレーム側面外郭に倣った形状に屈曲している。このため、横連結フレーム把持具２００による把持完了状態では、把持具プレート２０２は、支柱アッシーＳのフレーム側面に接合する。端部第１把持体２０４と端部第２把持体２１０は、把持具プレート２０２の両端からそれぞれ延在して屈曲し、図６に示すように支柱アッシーＳの把持に際して、端部第１把持体２０４は第１縦フレーム２０の側に位置し、端部第２把持体２１０は第２縦フレーム４０の側に位置する。
【００３３】
端部第１把持体２０４は、上記した支柱アッシーＳのフレーム側面と交差する第１縦フレーム２０の横フレーム当接座２１に重なるように把持具プレート２０２の端部から屈曲して延びた上で、先端部位を、横フレーム当接凹条２１ｂの底面に当接する凹条底面片部２０６としている。この場合、横フレーム当接凹条２１ｂは、横フレーム当接座２１から陥没していることから、その陥没に倣って、端部第１把持体２０４は、凹条底面片部２０６を屈曲させている。つまり、端部第１把持体２０４は、凹条底面片部２０６の屈曲箇所において横フレーム当接凹条２１ｂに係合した上で、凹条底面片部２０６を横フレーム当接凹条２１ｂの底面に当接させる。端部第２把持体２１０は、上記した支柱アッシーＳのフレーム側面と交差する第２縦フレーム４０の横フレーム当接座４１に重なるように把持具プレート２０２の端部から屈曲して延びた上で、横フレーム当接凹条４１ｂの陥没に倣って屈曲して当該凹条底面に当接し、先端部位を、この凹条底面から離れるように屈曲した屈曲端部２１２としている。
【００３４】
上記した横連結フレーム把持具２００は、その高さが約１５ｍｍであり、端部第１把持体２０４および端部第２把持体２１０を、パーテーション１０における上部パネル１１Ｕや下部パネル１１Ｄのパネル表面に到達させない。また、横フレーム当接凹条２１ｂと横フレーム当接凹条４１ｂは、該当する縦フレームの上下方向に亘って形成されている。よって、横連結フレーム把持具２００は、パネルを装着していない範囲の支柱アッシーＳのみならず、パネル装着範囲の支柱アッシーＳにおいても装着可能であり、その装着により後述するようにフレーム把持を行う。
【００３５】
図１４は本実施例のコーナー連結フレーム把持具２２０を開口側から見た斜視図、図１５は開口側と反対側を正面としてコーナー連結フレーム把持具２２０を表す正面図、図１６はコーナー連結フレーム把持具２２０の左側面図、図１７はコーナー連結フレーム把持具２２０の右側面図、図１８はコーナー連結フレーム把持具２２０の平面図、図１９はコーナー連結フレーム把持具２２０の背面図である。この場合、コーナー連結フレーム把持具２２０の底面図は、図１８の平面図と対称に現れる。
【００３６】
コーナー連結フレーム把持具２２０にあっても、０．８ｍｍ厚のバネ鋼板のプレス成型品であり、図示するように、その要部をなす把持具プレート２２２の両端に端部第１把持体２２４と端部第２把持体２３０とを延在させて備える。把持具プレート２２２は、把持対象のコーナー支柱アッシーＳＣのフレーム側面幅に合致した長さを有すると共に、コーナー支柱アッシーＳＣのフレーム側面外郭に倣った形状に屈曲している。このため、コーナー連結フレーム把持具２２０による把持完了状態では、把持具プレート２２２は、コーナー支柱アッシーＳＣのフレーム側面に接合する。端部第１把持体２２４と端部第２把持体２３０は、把持具プレート２２２の両端からそれぞれ延在して屈曲し、図７に示すようにコーナー支柱アッシーＳＣの把持に際して、端部第１把持体２２４は第１縦フレーム２０の側に位置し、端部第２把持体２１０はコーナー連結用の第２縦フレーム４０Ｃの側に位置する。
【００３７】
コーナー連結フレーム把持具２２０の端部第１把持体２２４は、上記したコーナー支柱アッシーＳＣのフレーム側面と交差する第１縦フレーム２０の側面３８に重なるように把持具プレート２２２の端部から屈曲して延びた上で、先端部位を、側面開口凹条３０に入り込むよう屈曲した屈曲片部２２６としている。つまり、コーナー連結フレーム把持具２２０にあっては、端部第１把持体２２４の側において、端部第１把持体２２４と側面３８との接合による係合と、屈曲片部２２６と側面開口凹条３０との係合をもたらしている。この場合、屈曲片部２２６による側面開口凹条３０との係合は、コーナー連結フレーム把持具２２０の外れ止め効果に大きく寄与するが、端部第１把持体２２４の屈曲部からの弾発作用を大きして、端部第１把持体２２４と側面３８との接合による係合だけとすることもできる。つまり、屈曲片部２２６を省略することもできる。端部第２把持体２３０は、横連結フレーム把持具２００における端部第２把持体２１０と同様であり、コーナー連結用の第２縦フレーム４０Ｃの横フレーム当接座４１に重なるように把持具プレート２２２の端部から屈曲して延びた上で、横フレーム当接凹条４１ｂの陥没に倣って屈曲して当該凹条底面に当接し、先端部位を、この凹条底面から離れるように屈曲した屈曲端部２３２としている。
【００３８】
上記したコーナー連結フレーム把持具２２０にあっても、その高さは約１５ｍｍとされ、横連結フレーム把持具２００と同様に、パネルを装着していない範囲のコーナー支柱アッシーＳＣのみならず、パネル装着範囲のコーナー支柱アッシーＳＣにおいて装着可能であり、その装着により後述するようにコーナー部においてフレーム把持を行う。
【００３９】
次に、上記した横連結フレーム把持具２００とコーナー連結フレーム把持具２２０によるフレーム把持の様子をパーテーション連結と併せて説明する。図２０はパーテーションの横並び連結箇所と直交連結箇所でのフレーム把持の様子とパーテーション連結の様子を示す説明図である。なお、この図２０では、描画の都合上、横連結フレーム把持具２００とコーナー連結フレーム把持具２２０をフレーム表面から離しているが、現品においては、両把持具はフレーム表面に密着することになる。
【００４０】
図示するように、横並び連結箇所では、一方のパーテーション１０における第１縦フレーム２０の縦フレーム当接座２２に、横並び連結の対象となる他方のパーテーション１０が有する第２縦フレーム４０の横フレーム当接座４１が当接する。この際、縦フレーム当接座２２には、他方のパーテーション１０における横フレーム当接座４１の当接座面４３が当接して、両縦フレームが接合する。また、こうした当接と共に、一方のパーテーション１０における第１縦フレーム２０の開口凹条２３には、他方のパーテーション１０が有する第２縦フレーム４０の縦方向凸条４２が入り込み、上記の凹条・凸条により第１縦フレーム２０と第２縦フレーム４０とがそれぞれの横並び連結箇所において係合し、両縦フレームは支柱アッシーＳとなる。
【００４１】
パーテーション直交連結箇所では、パーテーション１０Ｃは、その有する第２縦フレーム４０の縦方向凸条４２を、直交相手となるパーテーション１０の第１縦フレーム２０における横フレーム当接座２１と縦フレーム当接座２２の連結箇所の側面凹条３２（詳しくは側面開口凹条３０）に入り込ませる。つまり、パーテーション直交連結箇所においても、上記の凹条・凸条により第１縦フレーム２０と第２縦フレーム４０とが係合し、両縦フレームはコーナー支柱アッシーＳＣとなる。パーテーション１０Ｃは、第２縦フレーム４０の横フレーム当接座４１を、凸条基部４２ａの側の当接座面４３にて横フレーム当接座２１と縦フレーム当接座２２の側面に当接させている。
【００４２】
上記のようにして第１縦フレーム２０と第２縦フレーム４０とが係合した横並び箇所の支柱アッシーＳに対し、横連結フレーム把持具２００が装着される。横連結フレーム把持具２００は、バネ鋼板のプレス成型品であることから、把持具プレート２０２の両端の端部第１把持体２０４と端部第２把持体２１０は、外側に開くよう広がることができる。よって、横連結フレーム把持具２００を次のような手順で支柱アッシーＳに装着できる。第１の装着手順では、まず、支柱アッシーＳのフレーム側面に対して横連結フレーム把持具２００を傾け、端部第１把持体２０４を第１縦フレーム２０の横フレーム当接凹条２１ｂに当接させる。次いで、端部第２把持体２１０が第２縦フレーム４０の横フレーム当接座４１を乗り上げるように横連結フレーム把持具２００を押し付ける。こうすれば、端部第２把持体２１０は、支柱アッシーＳのフレーム側面と交差する第２縦フレーム４０の横フレーム当接座４１より広がって横フレーム当接凹条４１ｂの側に進み、凹条の底面にまで達した上でその底面に当接する。この底面当接に伴い、端部第２把持体２１０は把持具プレート２０２に対して元の状態に戻ろうとする力を横フレーム当接凹条４１ｂの底面に及ぼす。当初から横フレーム当接凹条２１ｂに当接している端部第１把持体２０４は、端部第２把持体２１０が横フレーム当接座４１を乗り上がる際に外側に広がるので、端部第２把持体２１０の底面当接に伴い、同様に横フレーム当接凹条２１ｂの底面に力を及ぼす。
【００４３】
第２の装着手順では、まず、横連結フレーム把持具２００をその開口が支柱アッシーＳのフレーム側面に向くようにした上で、図中の矢印の方向に当該フレーム側面に横連結フレーム把持具２００を向けて押し付ける。こうすれば、端部第１把持体２０４と端部第２把持体２１０は、フレーム側面と交差する第１縦フレーム２０の横フレーム当接座２１と第２縦フレーム４０の横フレーム当接座４１より広がって、横フレーム当接凹条２１ｂや横フレーム当接凹条４１ｂの側に進み、それぞれの凹条の底面にまで達した上でその底面に当接する。この底面当接に伴い、上記したように、端部第１把持体２０４と端部第２把持体２１０は、元の状態に戻ろうとする力を及ぼす。この結果、本実施例の横連結フレーム把持具２００によれば、凹凸により係合された済みの第１縦フレーム２０と第２縦フレーム４０を、両フレームがなす支柱アッシーＳのフレーム側面に密着した把持具プレート２０２の両端の上記両端部把持体にて把持し、両フレームの係合状態を容易且つ簡便に保持できる。
【００４４】
パーテーション直交連結箇所のコーナー支柱アッシーＳＣについてもほぼ同様であり、まず、コーナー支柱アッシーＳＣに対してコーナー連結フレーム把持具２２０を傾け、端部第１把持体２２４の屈曲片部２２６を側面開口凹条３０の内部に入り込ませる。次いで、端部第２把持体２３０が第２縦フレーム４０Ｃの横フレーム当接座４１を乗り上げるようにコーナー連結フレーム把持具２２０を押し付ける。こうすれば、端部第２把持体２３０は、コーナー支柱アッシーＳＣのフレーム側面と交差する第２縦フレーム４０Ｃの横フレーム当接座４１より広がって横フレーム当接凹条４１ｂの側に進み、凹条の底面にまで達した上でその底面に当接する。この底面当接に伴い、端部第２把持体２３０は把持具プレート２２２に対して元の状態に戻ろうとする力を横フレーム当接凹条４１ｂの底面に及ぼす。屈曲片部２２６を側面開口凹条３０に入り込ませていた端部第１把持体２２４は、端部第２把持体２３０が横フレーム当接座４１を乗り上がる際に、コーナー支柱アッシーＳＣのフレーム側面と交差する第１縦フレーム２０の側面３８に接合して当該側面と係合した上で外側に広がるので、端部第２把持体２３０の底面当接に伴い、同様に横フレーム当接凹条２１ｂの底面に力を及ぼす。この結果、本実施例のコーナー連結フレーム把持具２２０によれば、凹凸により係合された済みの第１縦フレーム２０と第２縦フレーム４０Ｃを、両フレームがなすコーナー支柱アッシーＳＣのフレーム側面に密着した把持具プレート２２２の両端の上記両端部把持体にて把持し、両フレームの係合状態を容易且つ簡便に保持できる。
【００４５】
そして、本実施例では、横連結フレーム把持具２００とコーナー連結フレーム把持具２２０における把持具プレート２０２、２２２を、支柱アッシーＳ或いはコーナー支柱アッシーＳＣのフレーム側面の外郭に倣った形状のプレートとした。よって、横連結フレーム把持具２００およびコーナー連結フレーム把持具２２０によれば、それぞれの把持具プレートを支柱アッシーＳ或いはコーナー支柱アッシーＳＣに密着させることで、見栄えを向上できる。
【００４６】
また、本実施例では、横連結フレーム把持具２００とコーナー連結フレーム把持具２２０における端部第２把持体２１０、２３０を、その先端に横フレーム当接凹条４１ｂの底面から離れるように屈曲した屈曲端部２１２、２３２を有するものとした。このため、屈曲端部２１２、２３２にドライバー等の工具を係合させて端部第２把持体２１０、２３０を把持具プレート２０２、２２２に対して広がるようにできるので、支柱アッシーＳおよびコーナー支柱アッシーＳＣから、横連結フレーム把持具２００およびコーナー連結フレーム把持具２２０をより容易に取り外すことができる。つまり、横連結フレーム把持具２００とコーナー連結フレーム把持具２２０を容易且つ簡便に着脱できる。
【００４７】
また、第１縦フレーム２０と第２縦フレーム４０、４０Ｃにおいて、横連結フレーム把持具２００或いはコーナー連結フレーム把持具２２０により把持に用いる凹所を縦フレームの上下方向に亘る横フレーム当接凹条２１ｂ、４１ｂとし、端部第２把持体２１０、２３０がパネル面に達しないようにした。よって、支柱アッシーＳおよび支柱アッシーＳにおける上記両フレーム把持具によりフレーム把持箇所の自由度が高まる。つまり、第１縦フレーム２０と第２縦フレーム４０、４０Ｃの両縦フレームをその長手方向の任意の箇所で上記両フレーム把持具にて把持できるので、作業性が高まる。
【００４８】
また、横並び連結或いは直交連結するパーテーション１０、１０Ｃのそれぞれの上記縦フレームの当接と開口凹条２３への縦方向凸条４２の入り込みと、上記両フレーム把持具の装着による縦フレーム把持とを経るだけで、安全柵１００を容易に構成できる。この結果、図１に示した安全柵１００のように、パーテーション１０の枚数が増えても、容易に複数のパーテーション１０を横並びに連結することができる。
【００４９】
ここで、横連結フレーム把持具２００とコーナー連結フレーム把持具２２０の取り外し用の専用工具について説明する。図２１は把持解除工具３００の斜視図、図２２は把持解除工具３００の正面図、図２３は把持解除工具３００の左側面図、図２４は把持解除工具３００の平面図、図２５は把持解除工具３００の底面図、図２６は把持解除工具３００の背面図、図２７は図２５における２７−２７線の拡大端面図である。この場合、把持解除工具３００の右側面図は、図２３の左側面図と対称に現れる。これら図において、ハンドル３０２については、把持解除工具３００を工具意匠として捉えた場合に除外するよう点線で表し、工具部位３１０については実線で表した。
【００５０】
図示するように、把持解除工具３００は、ハンドル３０２の先端に工具部位３１０を備える。この工具部位３１０は、二股状の腕部３１２の先端に把持解除ブリッジ３１４を備える。腕部３１２は、二股基部から屈曲して延び、把持解除ブリッジ３１４とで端部把持体非干渉部３１６を形成する。腕部３１２は、支柱アッシーＳのコーナー形状に倣って屈曲形成されている。そして、把持解除工具３００は、腕部３１２を支柱アッシーコーナーに配設した上で、屈曲基部３１３を支点とした梃子の作用にて横連結フレーム把持具２００やコーナー連結フレーム把持具２２０の取り外しに用いられる。図２８は把持解除工具３００による横連結フレーム把持具２００の取り外しの様子を説明する説明図である。
【００５１】
横連結フレーム把持具２００の取り外しに当たっては、把持解除工具３００を支柱アッシーＳを把持済みの横連結フレーム把持具２００に近づけ、横フレーム当接凹条４１ｂの底面から離れている屈曲端部２１２に把持解除ブリッジ３１４を引っかける。腕部３１２は、支柱アッシーＳのコーナー形状に倣って湾曲していることから、腕部３１２の屈曲基部３１３は、フレーム側面に当接して支点となる。この場合、腕部３１２は把持具プレート２０２を跨ぐよう位置するので、端部把持体非干渉部３１６は把持具プレート２０２と干渉することはなく、屈曲基部３１３は把持具プレート２０２の上下で支点となる。そして、ハンドル３０２を持って図中矢印方向に傾けると、腕部３１２は、屈曲基部３１３を支点とし把持解除ブリッジ３１４を作用点として回転する。このため、屈曲端部２１２は把持解除ブリッジ３１４に係合したまま横フレーム当接凹条４１ｂの底面から持ち上げられるので、横連結フレーム把持具２００では、端部第２把持体２１０が凹条底面から離れて把持具プレート２０２が湾曲するようになる。こうなると、横連結フレーム把持具２００を支柱アッシーＳから取り外すことができる。つまり、把持解除工具３００を用いることで容易に横連結フレーム把持具２００を支柱アッシーＳから取り外すことができる。コーナー連結フレーム把持具２２０についても同様である。
【００５２】
以上、本発明の実施の形態を実施例にて説明したが、本発明は上記した実施例や変形例の実施形態に限られるものではなく、その要旨を逸脱しない範囲において種々の態様にて実施することが可能である。例えば、上記の実施例では、把持具プレート２０２、２２２を支柱アッシーＳ或いはコーナー支柱アッシーＳＣのフレーム側面の外郭に倣った形状のプレートとしたが、フレーム側面の幅と同じ幅の平板状の把持具プレートを有するフレーム把持具とすることもできる。
【符号の説明】
【００５３】
１０、１０Ｃ…パーテーション
１１Ｄ…下部パネル
１１Ｕ…上部パネル
１２…脚
２０…第１縦フレーム
２１…横フレーム当接座
２１ａ…パネル挿入凹条
２１ｂ…横フレーム当接凹条
２１ｓ…コーナー部斜面
２２…縦フレーム当接座
２２ｓ…コーナー部斜面
２３…開口凹条
２４…有底部
２５…連結板部
３０…側面開口凹条
３１…有底部
３２…側面凹条
３８…側面
４０、４０Ｃ…第２縦フレーム
４１…横フレーム当接座
４１ａ…パネル挿入凹条
４１ｂ…横フレーム当接凹条
４２…縦方向凸条
４２ａ…凸条基部
４２ｂ…狭小陥没部
４２ｃ…エンド部
４３…当接座面
４４…端部当接座面
６０…横フレーム
６１…側壁材
６２…コア部
６３…ブリッジ
６４…スリット
６５…雌ネジ
６７…雄ネジ
１００…安全柵
２００…横連結フレーム把持具
２０２…把持具プレート
２０４…端部第１把持体
２０６…凹条底面片部
２１０…端部第２把持体
２１２…屈曲端部
２２０…コーナー連結フレーム把持具
２２２…把持具プレート
２２４…端部第１把持体
２２６…屈曲片部
２３０…端部第２把持体
２３２…屈曲端部
３００…把持解除工具
３０２…ハンドル
３１０…工具部位
３１２…腕部
３１３…屈曲基部
３１４…把持解除ブリッジ
３１６…端部把持体非干渉部
Ｓ…支柱アッシー
ＳＣ…コーナー支柱アッシー
Ｂ…ボルト
【図１】
2010203186.tif 000003
【図２】
2010203186.tif 000004
【図３】
2010203186.tif 000005
【図４】
2010203186.tif 000006
【図５】
2010203186.tif 000007
【図６】
2010203186.tif 000008
【図７】
2010203186.tif 000009
【図８】
2010203186.tif 000010
【図９】
2010203186.tif 000011
【図１０】
2010203186.tif 000012
【図１１】
2010203186.tif 000013
【図１２】
2010203186.tif 000014
【図１３】
2010203186.tif 000015
【図１４】
2010203186.tif 000016
【図１５】
2010203186.tif 000017
【図１６】
2010203186.tif 000018
【図１７】
2010203186.tif 000019
【図１８】
2010203186.tif 000020
【図１９】
2010203186.tif 000021
【図２０】
2010203186.tif 000022
【図２１】
2010203186.tif 000023
【図２２】
2010203186.tif 000024
【図２３】
2010203186.tif 000025
【図２４】
2010203186.tif 000026
【図２５】
2010203186.tif 000027
【図２６】
2010203186.tif 000028
【図２７】
2010203186.tif 000029
【図２８】
2010203186.tif 000030